(57)【要約】【課題】通話呼量の少ない低受信電界時におけるＣ／Ｎ劣化を防止し、通話呼量の多い高受信電界時には受信品質を改善して通話呼量を増加できるようにする。【解決手段】制御部５は、デジタル中間周波信号Ｓ４を受けてその値を監視し、Ａ／Ｄ変換器４０の入力レベルが所定レベルとなるように利得制御信号Ｓ５を生成してＡＧＣ増幅器３７を制御する。また、ＡＧＣ増幅器３７の利得制御量に基づき受信電界値を推定し、この受信電界推定値と予め設定された閾値とを比較して低受信電界なのか高受信電界なのかを判定し、低受信電界と判定したときには中間周波ＳＡＷフィルタ３４を通過させるようにスイッチ３６を制御して周波数変換に伴うＣ／Ｎ劣化を防止する。また、高受信電界と判定したときには中間周波ＳＡＷフィルタ３４をバイパスさせるようにスイッチ３６を制御してＥＶＭを低減し、受信品質を改善して通話呼量の増加を可能にする。【選択図】      図１
2004274453.tif 000002
【特許請求の範囲】
【請求項１】
受信信号を第１の中間周波信号に変換し、この第１の中間周波信号を中間周波増幅器により増幅すると共に複数段の中間周波ＳＡＷフィルタにより不要信号成分を減衰させ、ＡＧＣ増幅器により信号レベルを一定にした後、ミキサにより第２の中間周波信号に変換し、更にデジタル化してデジタル中間周波信号にしてから復調する無線基地局受信装置において、前記受信信号の受信電界レベルに応じて前記複数段の中間周波ＳＡＷフィルタの段数を制御する手段を備える有していることを特徴とする無線基地局受信装置。
【請求項２】
受信信号を第１の中間周波信号に変換し、この第１の中間周波信号を中間周波増幅器により増幅すると共に２段の中間周波ＳＡＷフィルタにより不要信号成分を減衰させ、ＡＧＣ増幅器により信号レベルを一定にした後、ミキサにより第２の中間周波信号に変換し、更にデジタル化してデジタル中間周波信号にしてから復調する無線基地局受信装置において、前記受信信号の受信電界が予め定めた閾値未満の低受信電界であるときは前記２段の中間周波ＳＡＷフィルタを１段に減らすように信号経路を切替える手段を備えることを特徴とする無線基地局受信装置。
【請求項３】
請求項２記載の無線基地局受信装置において、前記２段の中間周波ＳＡＷフィルタの内の第２段目の中間周波ＳＡＷフィルタの出力側に前記第２段目の中間周波ＳＡＷフィルタの通過損失を補償する中間周波増幅器が接続されており、前記第２段目の中間周波ＳＡＷフィルタへ入力する信号を前記第２段目の中間周波ＳＡＷフィルタおよび前記通過損失補償用の中間周波増幅器をバイパスさせる信号経路に切替える接点をもつスイッチと、前記デジタル中間周波信号の値が予め定められた値になるように前記ＡＧＣ増幅器の利得制御を行うと共に前記スイッチの切替制御を行う制御部とを有していることを特徴とする無線基地局受信装置。
【請求項４】
前記制御部は、前記ＡＧＣ増幅器の利得制御量に基づき受信電界値を推定し、この受信電界推定値と予め設定された閾値とを比較し、高受信電界と判定したときには前記中間周波ＳＡＷフィルタをバイパスさせるように前記スイッチを制御し、低受信電界と判定したときには前記中間周波ＳＡＷフィルタを通過させるように前記スイッチを制御することを特徴とする請求項３記載の無線基地局受信装置。
【請求項５】
前記閾値がヒステリシス特性をもち、受信電界が低受信電界から高受信電界へ移行するときの閾値および受信電界が高受信電界から低受信電界へ移行するときの閾値とを有していることを特徴とする請求項４記載の無線基地局受信装置。
【請求項６】
前記制御部は、前記デジタル中間周波信号の値に基づき前記ＡＧＣ増幅器の利得制御データを生成すると共に受信電界を推定して前記スイッチの切替制御信号を生成するための演算処理を行うマイクロプロセッサ（ＣＰＵ）と、前記利得制御データに基づき求めた利得制御量に対する受信電界を表すデータ等が予め記憶されたＲＯＭと、前記利得制御データをアナログ信号に変換して前記ＡＧＣ増幅器へ供給するＤ／Ａ変換器とを有していることを特徴とする請求項４記載の無線基地局受信装置。
【発明の詳細な説明】
【０００１】
【発明の属する技術分野】
本発明は無線基地局受信装置に関し、特にＣＤＭＡ方式の基地局受信装置に関する。
【０００２】
【従来の技術】
図４は、従来の基地局受信装置の一例を示すブロック図である。
【０００３】
一般にデジタル変調波を受信する受信装置においては、妨害波の影響を抑制するために複数のＳＡＷフィルタを使用している。（例えば、特許文献１参照。）図４において、アンテナ１からの受信信号Ｓ１を高周波増幅して第１中間周波信号Ｓ２に変換する高周波部２と、第１中間周波信号Ｓ２を増幅すると共にＳＡＷフィルタにより不要信号成分を減衰させ、更に第２中間周波信号Ｓ３に変換した後にデジタル中間周波信号Ｓ４に変換する中間周波部６と、デジタル中間周波信号Ｓ４を受けてベースバンド信号を復調するベースバンド復調部４と、デジタル中間周波信号Ｓ４の値を監視して中間周波部６のＡＧＣ増幅器３７を制御する制御部７とを備えている。
【０００４】
高周波部２は、受信信号Ｓ１を増幅する高周波増幅器２１と、希望信号成分を通過させる高周波ＳＡＷフィルタ２２と、第１中間周波信号Ｓ２に変換する第１ミキサ２３および局部発振器２４とを有している。
【０００５】
中間周波部６は、第１中間周波信号Ｓ２を増幅する中間周波増幅器３１，３３，３５と、不要信号成分を減衰させる中間周波ＳＡＷフィルタ３２，３４と、信号レベルを一定にするＡＧＣ増幅器３７と、第２中間周波信号Ｓ３に変換する第２ミキサ３８および局部発振器３９と、Ａ／Ｄ変換器４０とを有している。
【０００６】
ここで、制御部７は、Ａ／Ｄ変換器４０の入力レベルが所定の一定レベルになるようにＡＧＣ増幅器３７の利得を制御している。
【０００７】
【特許文献１】
特開２０００−９２０２１号公報（図５）
【０００８】
【発明が解決しようとする課題】
一般にＳＡＷフィルタは、帯域通過特性が急峻であるという利点はあるが、ＥＶＭ（Ｅｒｒｏｒ  Ｖｅｃｔｏｒ  Ｍａｇｎｉｔｕｄｅ）が増加してデジタル変調波の受信品質を劣化させるという欠点がある。
【０００９】
なお、ＥＶＭとは、一般にデジタル変調信号の評価に用いられる値であり、変調シンボルの理想コンスタレーションポイントからの差異を理想信号振幅で正規化したものである。
【００１０】
上述した従来例では、中間周波ＳＡＷフィルタを２段使用しているので、ＥＶＭの増加によりデジタル変調波の受信品質への影響が大きい。
【００１１】
このようなＥＶＭの増加による受信品質劣化を防止するためにＳＡＷフィルタを１段構成とした場合は、特に通話呼量の少ない低受信電界時において、第２ミキサにおける周波数変換に際してイメージ帯域ノイズが希望信号帯域に重畳されてＣ／Ｎが劣化するという問題点を有している。
【００１２】
本発明の目的は、通話呼量の少ない低受信電界時におけるＣ／Ｎ劣化を防止でき、通話呼量の多い高受信電界時には受信品質を改善して通話呼量を増加できる無線基地局受信装置を提供することにある。
【００１３】
【課題を解決するための手段】
本発明の無線基地局受信装置は、受信信号を第１の中間周波信号に変換し、この第１の中間周波信号を中間周波増幅器により増幅すると共に複数段の中間周波ＳＡＷフィルタにより不要信号成分を減衰させ、ＡＧＣ増幅器により信号レベルを一定にした後、ミキサにより第２の中間周波信号に変換し、更にデジタル化してデジタル中間周波信号にしてから復調する無線基地局受信装置において、前記受信信号の受信電界レベルに応じて前記複数段の中間周波ＳＡＷフィルタの段数を制御する手段を備える。
【００１４】
具体的には、不要信号成分を減衰させる中間周波ＳＡＷフィルタを２段とし、前記受信信号の受信電界が予め定めた閾値未満の低受信電界であるときは前記２段の中間周波ＳＡＷフィルタを１段に減らすように信号経路を切替える手段を備える。
【００１５】
また、前記信号経路を切替える手段は、前記２段の中間周波ＳＡＷフィルタの内の第２段目の中間周波ＳＡＷフィルタの出力側に前記第２段目の中間周波ＳＡＷフィルタの通過損失を補償する中間周波増幅器が接続されており、前記第２段目の中間周波ＳＡＷフィルタへ入力する信号を前記第２段目の中間周波ＳＡＷフィルタおよび前記通過損失補償用の中間周波増幅器をバイパスさせる信号経路に切替える接点をもつスイッチと、前記デジタル中間周波信号の値が予め定められた値になるように前記ＡＧＣ増幅器の利得制御を行うと共に前記スイッチの切替制御を行う制御部とを有している。
【００１６】
また、前記制御部は、前記ＡＧＣ増幅器の利得制御量に基づき受信電界値を推定し、この受信電界推定値と予め設定された閾値とを比較し、高受信電界と判定したときには前記中間周波ＳＡＷフィルタをバイパスさせるように前記スイッチを制御し、低受信電界と判定したときには前記中間周波ＳＡＷフィルタを通過させるように前記スイッチを制御する。
【００１７】
更に、前記閾値がヒステリシス特性をもち、受信電界が低受信電界から高受信電界へ移行するときの閾値および受信電界が高受信電界から低受信電界へ移行するときの閾値とを有している。
【００１８】
また更に、前記制御部は、前記デジタル中間周波信号の値に基づき前記ＡＧＣ増幅器の利得制御データを生成すると共に受信電界を推定して前記スイッチの切替制御信号を生成するための演算処理を行うマイクロプロセッサ（ＣＰＵ）と、前記利得制御データに基づき求めた利得制御量に対する受信電界を表すデータ等が予め記憶されたＲＯＭと、前記利得制御データをアナログ信号に変換して前記ＡＧＣ増幅器へ供給するＤ／Ａ変換器とを有している。
【００１９】
【発明の実施の形態】
次に本発明について図面を参照して説明する。
【００２０】
図１は本発明の一実施形態を示すブロック図である。ここで、図４に示した従来例の構成要素と同じものには同一符号を付している。
【００２１】
図１において、アンテナ１からの受信信号Ｓ１を高周波増幅して第１中間周波信号Ｓ２に変換する高周波部２と、第１中間周波信号Ｓ２を増幅すると共にＳＡＷフィルタにより不要信号成分を減衰させて第２中間周波信号Ｓ２に変換した後にデジタル変換して出力する中間周波部３と、この中間周波部が出力するデジタル中間周波信号Ｓ４を受けてベースバンド信号を復調するベースバンド復調部４と、デジタル中間周波信号Ｓ４の値を監視して中間周波部３を制御する制御部５とを備えている。
【００２２】
高周波部２は、受信信号Ｓ１を増幅する高周波増幅器２１と、希望信号成分を通過させる高周波ＳＡＷフィルタ２２と、第１中間周波信号Ｓ２に変換する第１ミキサ２３および局部発振器２４とを有している。
【００２３】
中間周波部３は、第１中間周波信号Ｓ２を増幅する中間周波増幅器３１，３３，３５と、不要信号成分を減衰させる中間周波ＳＡＷフィルタ３２，３４と、中間周波ＳＡＷフィルタ３４および中間周波増幅器３５を通過する信号経路とバイパスする信号経路とを切替えるスイッチ３６と、信号レベルを一定にするＡＧＣ増幅器３７と、第２中間周波信号Ｓ３に変換する第２ミキサ３８および局部発振器３９と、Ａ／Ｄ変換器４０とを有している。
【００２４】
制御部５は、デジタル中間周波信号Ｓ４の値を監視し、Ａ／Ｄ変換器４０の入力レベルが所定の一定レベルになるようにＡＧＣ増幅器３７へ利得制御信号Ｓ５を送出して利得制御すると共に、スイッチ３６へ切替制御信号Ｓ６を送出して切替え制御を行う。
【００２５】
スイッチ３６は、中間周波増幅器３３および中間周波ＳＡＷフィルタ３４の間に設けられる接点ａ，ｂと、中間周波増幅器３５およびＡＧＣ増幅器３７の間に設けられる接点ｃ，ｄをそれぞれ有し、制御部５からの切替制御信号Ｓ６に応じて接点を切替える。
【００２６】
ここで、スイッチ３６が接点ａと接点ｃとを選択したときは、中間周波増幅器３３の出力信号は、中間周波ＳＡＷフィルタ３４および中間周波増幅器３５をバイパスしてＡＧＣ増幅器３７へ入力する。また、スイッチ３６が接点ｂと接点ｄとを選択したときは、中間周波増幅器３３の出力信号は、中間周波ＳＡＷフィルタ３４および中間周波増幅器３５を通過してＡＧＣ増幅器３７へ入力する。
【００２７】
なお、中間周波増幅器３５は中間周波ＳＡＷフィルタ３４の通過損失を補償するように設定している。
【００２８】
図２は制御部５の一例を示すブロック図である。
【００２９】
制御部５は、デジタル中間周波信号Ｓ４を受けてその値を監視し、Ａ／Ｄ変換器４０の入力レベルが所定レベルとなるように利得制御信号Ｓ５を生成してＡＧＣ増幅器３７を制御する機能、およびＡＧＣ増幅器３７の利得制御量により推定した受信電界値に基づきスイッチ３６を制御する機能を備えている。
【００３０】
このため制御部５は、デジタル中間周波信号Ｓ４に基づき利得制御データＤｇを生成すると共に受信電界を推定して切替制御信号Ｓ６を生成するための演算処理を行うマイクロプロセッサ（ＣＰＵ）５１と、利得制御量に対する受信電界を表すデータ等が予め記憶されたＲＯＭ５２と、利得制御データＤｇをアナログ信号に変換してＡＧＣ増幅器３７へ利得制御信号Ｓ５を供給するＤ／Ａ変換器５３とを有している。
【００３１】
次に制御部５の動作について説明する。
【００３２】
制御部５のＣＰＵ５１は、デジタル中間周波信号Ｓ４のデジタル値とＲＯＭ５２に記憶されている所定の受信電界値とを比較する。ここでデジタル中間周波信号Ｓ４のデジタル値が所定の受信電界値より高い場合は、ＡＧＣ増幅器３７の利得を下げるように、また低い場合は、ＡＧＣ増幅器３７の利得を上げるように利得制御データＤｇを生成し、Ｄ／Ａ変換器５３により利得制御信号Ｓ５にアナログ変換してＡＧＣ増幅器３７へ送出する。
【００３３】
このようにして、デジタル中間周波信号Ｓ４のデジタル値が常にＲＯＭ５２に記憶されている所定の受信電界値と一致するようにＡＧＣ増幅器３７の利得を制御する。  また、ＣＰＵ５１は、利得制御データＤｇに基づき、ＲＯＭ５２に記憶されている利得制御量に対する受信電界を表すデータ値を参照して受信電界値を推定する。
【００３４】
そして、受信電界推定値と予め設定された閾値とを比較し、高受信電界と判定したときには中間周波ＳＡＷフィルタ３４をバイパスさせるようにスイッチ３６の接点を切替え、また、低受信電界と判定したときには中間周波ＳＡＷフィルタ３４を通過させるようにスイッチ３６の接点を切り替えるように切替制御信号Ｓ６を生成する。
【００３５】
ところで、高受信電界であるか低受信電界であるかを判定する閾値付近でのスイッチ３６の切替動作を安定化させるために、閾値データにヒステリシス特性を持たせ、そのための閾値テーブルをＲＯＭ５２に設けている。すなわち、低受信電界から高受信電界に移行するときの閾値と、高受信電界から低受信電界へ移行するときの閾値とを設定している。
【００３６】
なお、中間周波増幅器３５が中間周波ＳＡＷフィルタ３４の通過損失を補償するように設定しているので、スイッチ３６を切換えてもＡＧＣ増幅器３７に入力する信号レベルは変化せず、従って利得制御信号Ｓ５および利得制御データＤｇは変化しない。
【００３７】
次に低受信電界時の動作について述べる。
【００３８】
ここで低受信電界時（例えば−１０３ｄＢｍ）とは、受信している通話呼量（ユーザ数）が少ない場合である。
【００３９】
制御部５は、低受信電界であると判定した場合、中間周波信号が中間周波ＳＡＷフィルタ３４および中間周波増幅器３５を通過するようにスイッチ３６を制御する。
【００４０】
これにより中間周波増幅器３３の出力信号は中間周波ＳＡＷフィルタ３４に入力し、信号に含まれる不要信号成分は中間周波ＳＡＷフィルタ３４によって十分に減衰されるので、第２ミキサでの周波数変換時に発生するイメージ帯域のノイズを抑制することができ、Ｃ／Ｎ（希望信号レベルとノイズレベルの比）の劣化を防止することができる。
【００４１】
ここで仮に、低受信電界であると判定したときに、中間周波ＳＡＷフィルタ３４および中間周波増幅器３５をバイパスさせた場合は、第２ミキサでイメージ帯域ノイズが希望信号帯域に重畳してＣ／Ｎを劣化させることになる。
【００４２】
つまり、この場合、第２ミキサでの希望信号帯域に重畳するメージ帯域のノイズによるＣ／Ｎ劣化を防ぐためには、前段の中間周波ＳＡＷフィルタ３２によりイメージ帯域のノイズ成分を十分に減衰させる必要がある。しかし、低受信電界であるので中間周波ＳＡＷフィルタ３２へ入力する信号レベルが非常に低く、またイメージ帯域のノイズ成分を減衰させてもＫＴＢ（熱雑音）レベル以下にはならない。
【００４３】
また、中間周波ＳＡＷフィルタ３２の通過損失によって発生する希望信号帯域のノイズと、イメージ帯域ノイズ（ＫＴＢレベル以下に下がらない）とのレベル差が十分にとれていない状態で第２ミキサで周波数変換したときは、イメージ帯域ノイズが希望信号帯域に重畳されてノイズが増加してＣ／Ｎが劣化し、受信品質を低下させてしまう。
【００４４】
次に高受信電界時の動作について述べる。
【００４５】
ここで高受信電界時（例えば−９４ｄＢｍ）とは、受信している通話呼量（ユーザ数）が多い場合である。
【００４６】
制御部５は、高受信電界であると判定した場合、中間周波信号が中間周波ＳＡＷフィルタ３４および中間周波増幅器３５をバイパスするようにスイッチ３６を制御する。
【００４７】
この場合は高受信電界であるので、高レベルの中間周波信号が中間周波ＳＡＷフィルタ３２に入力する。そして、希望信号帯域のノイズとイメージ帯域ノイズとのレベル差が十分にとれた状態で第２ミキサで周波数変換するので、低レベルのイメージ帯域ノイズが希望信号帯域に重畳されても、Ｃ／Ｎの劣化は少ない。
【００４８】
更に、中間周波ＳＡＷフィルタは１段であるのでＥＶＭの増加が少なく、中間周波ＳＡＷフィルタが２段の場合よりも受信品質を向上させることができる。
【００４９】
ここで仮に、高受信電界であると判定したときに、中間周波ＳＡＷフィルタ３４および中間周波増幅器３５を通過させた場合は、中間周波信号のレベルは高く、イメージ帯域ノイズは十分に減衰できるので、希望信号帯域ノイズとイメージ帯域ノイズのレベル差を十分に確保できる。よって第２ミキサでのＣ／Ｎの劣化はない。
【００５０】
しかし、ＳＡＷフィルタを２段通過することで、１段の場合よりもＥＶＭが増加するために通信品質の向上は期待できない。
【００５１】
次にスイッチ３６の切替制御について説明する。
【００５２】
いま、熱雑音レベル（ＫＴＢ）は−１０８ｄＢｍ（帯域幅３．８４ＭＨｚ、常温）とし、本受信装置の雑音指数ＮＦは５ｄＢとする。
【００５３】
また、スイッチ３６へ供給する切替制御信号Ｓ６が「Ｌ」レベルのときは中間周波ＳＡＷフィルタ３４および中間周波増幅器３５を通過させ、「Ｈ」レベルのときはバイパスさせるものとし、初期段階では切替制御信号Ｓ６は「Ｌ」レベルとする。
【００５４】
制御部５は、図３に示すようなヒステリシス特性を持った切替制御を行う。すなわち、低受信電界から高受信電界へ移行する際には、受信電界推定値が−９５ｄＢｍの閾値でスイッチを切り替え、高受信電界から低受信電界へ移行する際には−９８ｄＢｍの閾値でスイッチを切り替える。
【００５５】
まず、低受信電界から高受信電界へ移行する際の動作について説明する。
【００５６】
通話呼量が０のとき受信電界推定値は（ＫＴＢ＋ＮＦ）＝−１０３ｄＢｍであり、通話呼量の増加により受信電界推定値が増大してきたとする。
【００５７】
制御部５は、低受信電界から高受信電界へ移行するるので閾値−９５ｄＢｍを設定し、受信電界推定値と閾値−９５ｄＢｍとを比較し、受信電界推定値が閾値−９５ｄＢｍを超えたときに高受信電界であると判定する。
【００５８】
そして、切替制御信号Ｓ６を「Ｈ」レベルにし、中間周波ＳＡＷフィルタ３４および中間周波増幅器３５をバイパスするようにスイッチ３６を制御する。
【００５９】
その後、通話呼量が減少して高受信電界から低受信電界へ移行する際の動作について説明する。
【００６０】
制御部５は、高受信電界から低受信電界へ移行するるので閾値−９８ｄＢｍを設定し、受信電界推定値と閾値−９８ｄＢｍとを比較し、受信電界推定値が閾値−９８ｄＢｍよりも低くなったときに低受信電界であると判定する。
【００６１】
そして、切替制御信号Ｓ６を「Ｌ」レベルにし、中間周波ＳＡＷフィルタ３４および中間周波増幅器３５を通過するようにスイッチ３６を制御する。
【００６２】
このように制御部５がスイッチ３６を制御することにより、通話呼量の少ない低受信電界時にはＳＡＷフィルタを２段使用するので、周波数変換時に発生するイメージ帯域ノイズによるＣ／Ｎ劣化を防ぎことができる。また、通話呼量の多い高受信電界時にはＳＡＷフィルタを１段使用しないことにより、ＳＡＷフィルタによるＥＶＭ増加を減少させて受信品質を改善できるので、通話呼量を増加させることが可能となる。
【００６３】
次に、受信品質を改善効果について具体的な数字を用いて説明する。
【００６４】
ここで、中間周波ＳＡＷフィルタが１段であるときのＥＶＭを５％とし、２段のときのＥＶＭを２倍の１０％とし、無線基地局において受信品質が確保たれる状態におけるアンテナ入力でのＥｂ／Ｎｏ（１ｂｉｔ当りの希望信号エネルギーと１Ｈｚ当りの雑音エネルギーとの比）が８ｄＢであるとする。
【００６５】
まず、Ｅｂ／Ｎｏ（８ｄＢ）をＥＶＭ（％）に換算する。
【００６６】
ＥＶＭは、変調シンボルの理想コンスタレーションポイントからの差異を理想信号振幅で正規化したものであるから、
ＥＶＭ（％）＝（Ｎｏ／Ｅｂ）１／２×１００＝（１／１０８／２０  ）×１００＝３９．８（％）  となる。
【００６７】
また中間周波ＳＡＷフィルタを２段通過した場合、ＥＶＭが１０％増加するので、総合ＥＶＭは、
（（３９．８）２  ＋（１０）２  ）１／２  ＝４１．０（％）となる。
これはＥｂ／Ｎｏ＝７．７（ｄＢ）に換算でき、受信装置内でＥｂ／Ｎｏが０．３ｄＢ劣化したことになる。
【００６８】
一方、中間周波ＳＡＷフィルタを１段通過した場合の総合ＥＶＭは、
（（３９．８）２  ＋（５）２  ）１／２  ＝４０．１（％）となる。
これはＥｂ／Ｎｏ＝７．９（ｄＢ）に換算でき、受信装置内でＥｂ／Ｎｏが０．１ｄＢ劣化したことになる。
【００６９】
つまり、中間周波ＳＡＷフィルタ１段の場合は２段の場合に比較して、
Ｅｂ／Ｎｏの劣化が０．２ｄＢ改善することになり、
１０  ０．２／１０  ＝１．０５であるから、収容ユーザ数が５％増えたことに相当する。
【００７０】
【発明の効果】
以上説明したように本発明によれば、通話呼量の少ない低電界時には、中間周波ＳＡＷフィルタを２段使用することで周波数変換時に伴うイメージ帯域ノイズによるＣ／Ｎ劣化を防止でき、通話呼量の多い高電界時には、中間周波ＳＡＷフィルタを１段にすることでＥＶＭを低減し受信品質を改善して通話呼量を増加させることができる。
【図面の簡単な説明】
【図１】本発明の一実施形態を示すブロック図である。
【図２】図１に示した制御部５の一例を示すブロック図である。
【図３】ヒステリシス特性を持った切替制御を説明するための図である。
【図４】従来例を示すブロック図である。
【符号の説明】
２    高周波部
３    中間周波部
５    制御部
３１，３３，３５    中間周波増幅器
３２，３４    中間周波ＳＡＷフィルタ
３６    スイッチ
３７    ＡＧＣ増幅器
３８    第２ミキサ
４０    Ａ／Ｄ変換器
【図１】
2004274453.tif 000003
【図２】
2004274453.tif 000004
【図３】
2004274453.tif 000005
【図４】
2004274453.tif 000006